(57)【特許請求の範囲】
【請求項１】
屋根材にはぜ締めされる吊子と、この吊子をスライド可能に支持するサドルを備えた屋根支持具において、
サドルは左右二分割された一対の部材からなり、このサドルを構成する一対の部材は、上下方向の中央にて互いに密着するように形成された分割面をそれぞれ有し、これらの分割面の上側には、両部材を密着させた状態で分割面を中心に対称となる逆Ｔ字形溝が、各部材の両端面間を貫通し、かつ上辺を各部材の頂面に開口して形成され、
吊子は、その下端に前記サドルの長さよりも長い断面逆Ｔ字形の荷重伝達部がサドルの逆Ｔ字形溝に挿入されてサドルに対しスライド可能に支持されるとともに、この吊子をサドルに固定しうるスライド固定手段を備えており、吊子のスライドを固定しうることを特徴とする屋根支持具。
【請求項２】
サドルを構成する一対の部材には、両部材を密着させた状態で下屋根を挟着する下屋根取付部が、サドルの両端面間を貫通し、かつサドルの底面に開口して形成されたことを特徴とする請求項１に記載の屋根支持具。
【請求項３】
スライド固定手段は、吊子とサドルとを貫通して固定する固定ピン又は固定ボルトであることを特徴とする請求項１又は２に記載の屋根支持具。
【請求項４】
スライド固定手段は、サドルの両端面にそれぞれ係止しうる一対のストッパーであることを特徴とする請求項１又は２に記載の屋根支持具。
【請求項５】
請求項４に記載の屋根支持具において、一対のストッパーの少なくとも一方は、荷重伝達部の一部が爪状に形成されてなることを特徴とする屋根支持具。
【請求項６】
請求項４に記載の屋根支持具において、一対のストッパーの少なくとも一方は、ピン穴とこのピン穴に嵌入される固定ピンからなることを特徴とする屋根支持具。
【請求項７】
請求項４に記載の屋根支持具において、一対のストッパーの少なくとも一方は、荷重伝達部に固定部材が固着されて形成されたことを特徴とする屋根支持具。
【発明の詳細な説明】
【０００１】
【発明の属する技術分野】
この発明は、折板型の金属屋根を支持する屋根支持具に関する。
【０００２】
【従来の技術】
一般に、金属屋根は外気温、太陽輻射熱、風雨等の外的熱要因によって伸縮する。この熱要因によりストレスや摩擦力が屋根材に蓄積されると、屋根材は大きくうねり、バックリングと呼ばれる爆烈音を発生させることがある。そこで、本出願人は、このような屋根材の熱伸縮による爆裂音の問題を解決するため、例えば特許文献１に記載されているようなサドル及び吊子を備えた金属屋根の支持構造を開発して実用化している。
【０００３】
図１５から図１７は、この種の二重葺き屋根の支持構造を示すもので、建築物の頂部に固定されたタイトフレーム７に折板型下屋根５を敷設し、その上に断熱材等を介して折板型上屋根４を敷設している。
【０００４】
この支持構造では、左右二分割された一対の部材２ａ、２ｂからなるサドル２が使用される。これら一対の部材２ａ、２ｂは、ボルト６１によって着脱自在に挟着され、一体化した状態で使用される。一体化したサドル２は、下屋根取付部２２を下部に、分割面を中心に対称となる逆Ｔ字形溝２１を上部に備えている。
【０００５】
このサドル２は、下屋根５と上屋根４との間に取り付けられる。下屋根５及び上屋根４は、屋根流れ方向にそれぞれ平行な山部４１、５１を有し、各屋根材の端部に形成された山部４１、５１の中央線に沿って、隣接する上屋根４同士及び下屋根５同士がそれぞれはぜ締めされて連結されている。
【０００６】
サドル２の下部の下屋根取付部２２には、下屋根５のはぜ締め部が挟着される。また、図１６及び図１７に示すように、サドル２の下部と下屋根５のはぜ締め部とがタッピングビス６４によって緊結されるものもある。これらの一対の部材２ａ、２ｂはボルト６１によって一体に固定されている。
【０００７】
下屋根５に固定されたサドル２の上部の逆Ｔ字形溝２１には、断面逆Ｔ字形の荷重伝達部３１を有する吊子３が挿入される。吊子３は、荷重伝達部３１とともにサドル２より十分に長い長さを有し、逆Ｔ字形溝２１内に挿入されてスライド可能に支持されている。また、荷重伝達部３１の両端には、サドル２の逆Ｔ字形溝２１からの脱落を防ぐための折曲部３２が形成されている。
【０００８】
この吊子３には、上屋根４の一の屋根材の山部４１、５１とともに、隣接する屋根材の山部４１、５１がはぜ締めされる。これによって、隣接する上屋根４の屋根材同士が連結され、上屋根４は吊子３とともに逆Ｔ字形溝２１に沿ってスライド可能に支持される。
【０００９】
したがって、外的熱要因により、上屋根４又は下屋根５の屋根材がサドル２の逆Ｔ字形溝２１の長さ方向に伸縮した場合、屋根材を連結している吊子３もともにスライドする。このとき吊子３は、サドル２の逆Ｔ字形溝２１にスライド可能に支持されているため、滑らかにスライドする。この結果、屋根材やこれを支持する各構成部材に熱応力が蓄積されるのを回避して、爆裂音等の発生を防ぐことができる。
【００１０】
【特許文献１】
特許第３０６５９４０号公報
【００１１】
【発明が解決しようとする課題】
前記従来の支持構造は、屋根材を流れ方向に沿ってスライド可能に支持するものであるが、少なくとも棟の近傍部分や流れ方向の中間部分では、屋根材を屋根架構に対して固定する必要がある。
【００１２】
したがって、このような固定すべき箇所に対応した屋根支持具が別途必要になるが、屋根の施工の際に複数種類の屋根支持具を用意し、施工箇所に応じて使い分けることは手間がかかり、コストも嵩む。
【００１３】
本発明は以上のような事情にかんがみてなされたものであり、屋根架構に対して屋根材をスライドさせずに固定すべき箇所においても、前記従来の支持構造で使用されているサドルと共通のサドルを用いて屋根材を支持固定させ、これにより、施工過程における手間とコストを低減させることのできる屋根支持具を提供することを目的とする。
【００１４】
【課題を解決するための手段】
前記の目的を達成するため、本発明は、屋根材にはぜ締めされる吊子と、この吊子をスライド可能に支持するサドルを備えた屋根支持具において、サドルは左右二分割された一対の部材からなり、このサドルを構成する一対の部材は、上下方向の中央にて互いに密着するように形成された分割面をそれぞれ有し、これらの分割面の上側には、両部材を密着させた状態で分割面を中心に対称となる逆Ｔ字形溝が、各部材の両端面間を貫通し、かつ上辺を各部材の頂面に開口して形成されている。また、吊子は、その下端に前記サドルの長さよりも長い断面逆Ｔ字形の荷重伝達部がサドルの逆Ｔ字形溝に挿入されてサドルに対しスライド可能に支持されるとともに、この吊子をサドルに固定しうるスライド固定手段を備えており、吊子のスライドを固定しうることを特徴とする。
【００１５】
本発明の屋根支持具によれば、屋根材をスライド可能に支持している吊子を、サドルに固定してスライドさせないようにもすることができるので、棟の近傍部分や屋根の流れ方向の中間部分など、屋根材を固定する必要がある箇所においては、屋根材を屋根架構に固定することが可能となる。
【００１７】
また、この発明によれば、吊子の荷重伝達部がサドルの逆Ｔ字形溝においてスライド可能に支持されるが、この吊子にスライド固定手段が設けられているので、サドルの逆Ｔ字形溝において吊子がスライドするのを拘束し、その結果、屋根材をスライドさせずに固定することができる。
【００１８】
また本発明は、前記サドルを構成する一対の部材に、両部材を密着させた状態で下屋根を挟着する下屋根取付部が、サドルの両端面間を貫通し、かつサドルの底面に開口して形成されたことを特徴とする。
【００１９】
この発明によれば、屋根架構に対して下屋根をはぜ締めし、下屋根の上方に上屋根をはぜ締めする二重葺きの屋根構造においても、サドルに形成された下屋根取付部を利用してサドルを下屋根のはぜ締め部に挟着することにより、下屋根及び上屋根を屋根架構に対して好適に支持することができる。
【００２０】
本発明の屋根支持具において、前記スライド固定手段の具体的な構成は、吊子とサドルとを貫通して固定する固定ピン又は固定ボルトであることを特徴とする。
【００２１】
これによれば、固定ピン又は固定ボルトが吊子とサドルとを固定するので、吊子が逆Ｔ字形溝においてスライドするのを拘束し、吊子を介してはぜ締めされた屋根材をスライドさせずに屋根架構に支持固定することができる。
【００２２】
また、本発明の屋根支持具において、前記スライド固定手段は、サドルの両端面にそれぞれ係止しうる一対のストッパーであってもよい。
【００２３】
具体的には、一対のストッパーの少なくとも一方は、吊子の荷重伝達部の一部が爪状に形成されてなることを特徴とする。また、一対のストッパーの少なくとも一方は、ピン穴とこのピン穴に嵌入される固定ピンとを備えたものとされてもよい。さらに、一対のストッパーの少なくとも一方は、荷重伝達部に固定部材が固着されて形成されたものでもよい。
【００２４】
これらの発明によれば、吊子に形成された一対のストッパーが、サドルの両端面にそれぞれ係止するので、吊子が逆Ｔ字形溝においてスライドするのを拘束することができる。これにより、吊子はサドルに固定されて動かないものとなり、この吊子を介してはぜ締めされた屋根材をスライドさせずに屋根架構に支持固定することができる。また、これらの一対のストッパーによれば、いずれも部品点数が少なくてすみ、吊子とサドルとの固定作業を容易に行うことができるので、コストや手間も低減させることができる。
【００２５】
【発明の実施の形態】
以下、本発明に係る屋根支持具の実施の形態について、図面を参照しつつ説明する。なお、本発明の屋根支持具としては多くの形態が考えられるが、以下の説明においてはそのうちの５形態とその変形例について示し、各実施の形態に重複する構成要素は次の第１の実施の形態における符号と同一の符号を用いて説明を省略するものとする。
【００２６】
＜第１の実施の形態＞
図１及び図２は本発明の第１の実施の形態を示し、図１は屋根支持具をサドルの一端面側から見た斜視図、図２は図１の屋根支持具をサドルの他端面側から見た斜視図である。
【００２７】
本実施の形態において屋根支持具１０は、下屋根５と上屋根４との間に断熱材等を配設して、高い断熱・防音効果を得ることを目的とした二重葺きの屋根構造にて用いられている。そして、屋根支持具１０は、かかる屋根構造の下屋根５と上屋根４との間に取り付けられる。
【００２８】
屋根支持具１０は、左右二分割された一対の部材２ａ、２ｂからなるサドル２と、サドル２に取り付けられて上屋根４とともにはぜ締めされる吊子３とを備えている。
【００２９】
サドル２は金属成形品、又はＡＢＳ樹脂、硬質プラスチック、エンジニアリング・プラスチック等による樹脂成形品である。このサドル２は、一対の部材２ａ、２ｂが上下方向の中央にて互いに密着する分割面をそれぞれ備えて構成され、断面形状が前記従来の技術における図１７に示されたサドル２の断面形状と共通している。両部材２ａ、２ｂには、分割面を貫通して設けられたボルト挿通孔が、互いの孔中心を一致させて２箇所に形成されている。
【００３０】
各部材２ａ、２ｂの分割面の上側には、両部材２ａ、２ｂを密着させた状態で分割面を中心に対称となる逆Ｔ字形溝２１が設けられている。この逆Ｔ字形溝２１は、各部材２ａ、２ｂの両端面間を貫通し、かつ上辺を各部材２ａ、２ｂの頂面に開口して形成されている。
【００３１】
また、各部材２ａ、２ｂの分割面の下側には、両部材２ａ、２ｂを密着させた状態で下屋根を挟着する下屋根取付部２２が設けられている。下屋根取付部２２は、一方の部材２ａ側に下屋根５のはぜ締め部が係合する溝を有する。この下屋根取付部２２は、サドル２の両端面間を貫通し、かつサドル２の底面に開口して形成されている。
【００３２】
一方、吊子３はサドル２の長さよりも長く形成され、その下端に断面逆Ｔ字形の荷重伝達部３１を有する。これにより、大型屋根に対しても安定した支持構造が確保される。この荷重伝達部３１は、サドル２の逆Ｔ字形溝２１に挿入されて支持される。この荷重伝達部３１と、荷重伝達部３１を支持するサドル２の逆Ｔ字形溝２１とが逆Ｔ字形状に形成されたことで、屋根荷重はサドル２の逆Ｔ字形溝２１の底面全体に分散される。
【００３３】
この吊子３の荷重伝達部３１には、吊子３をサドル２に固定するスライド固定手段としての一対のストッパー３０が、互いにサドル２の長さ分を隔てて形成されている。
【００３４】
一対のストッパー３０の一方は、荷重伝達部３１の下方に折曲した爪部３３が形成されている。爪部３３は、荷重伝達部３１の一部があらかじめ折曲げ変形して形成され、サドル２の一端面に係止しうるものとなっている。
【００３５】
また、ストッパー３０の他方は、ピン穴４３１と、このピン穴３４１に嵌入される固定ピン３４２とによって構成されて、サドル２の他端面に係止しうるものとなっている。ピン穴３４１は荷重伝達部３１の一部を切り欠いて矩形に形成され、固定ピン３４２はこのピン穴３４１に対応して矩形の楔状に形成されている。
【００３６】
一対のストッパー３０は、吊子３の下端から両側に張り出して形成されている荷重伝達部３１の一方に、それぞれバランスよく配置されている。すなわち、逆Ｔ字形溝２１に挿入された吊子３は、かかる一対のストッパー３０によってサドル２に固定されるとともに、荷重伝達部３１の中央付近において安定して支持されることになる。
【００３７】
このような屋根支持具１０を介する二重葺き屋根の施工においては、まず、図示されないタイトフレームに下屋根５がはぜ締めされる。
【００３８】
次いで、下屋根５のはぜ締め部にサドル２を載置する。サドル２は、下屋根５のはぜ締め部を下屋根取付部２２に挟み込み、タッピングビス６４によって下屋根５に固定される。また、サドル２は、一方の部材２ａの側方からボルト挿通孔にボルト６１を挿入し、その先端に他方の部材２ｂの側方から座金６３を介してナット６２を緊結することにより下屋根５とともに一体に締結される。
【００３９】
次に、下屋根５の上面に図示されない防音断熱材等を敷設し、サドル２上に上屋根４のすくい側のはぜ部を載置する。
【００４０】
ここで、サドル２の逆Ｔ字形溝２１に、吊子を挿入する。このとき、例えば棟の近傍部分や屋根の流れ方向の中間部分など、屋根材を屋根架構に対して固定する必要のある箇所に位置するサドル２には、一対のストッパー３０を備えた吊子３が挿入される。
【００４１】
吊子３は、サドル２の逆Ｔ字形溝２１に挿入されると、爪部３３がサドル２の端面に係止する。次に、吊子３が係止した状態で、ピン穴３４１に固定ピン３４２を嵌入する。固定ピン３４２は楔状に形成されているので、ハンマで軽く叩き込むなどしてピン穴３４１に差し込み、固定する。これにより、吊子３はサドル２の逆Ｔ字形溝２１に支持固定される。
【００４２】
また、屋根の流れ方向の端部など、屋根材の熱伸縮を吸収させるべき箇所に位置するサドル２の逆Ｔ字形溝２１においては、サドル２の逆Ｔ字形溝２１にスライド固定手段が形成されていない従来の吊子３を挿入する。また、かかるサドル２に、一対のストッパー３０が形成された吊子３を挿入してもよく、この場合には爪部３３が折曲げ変形されていない状態のものを使用し、ピン穴３４１に固定ピン３４２を嵌入しないことで対応することができる。
【００４３】
この結果、屋根材の熱伸縮を吸収させるべき箇所の屋根材は、熱要因によって伸縮が生じたときに吊子３とともにスライドすることが可能であるので、爆裂音の発生を防ぐことができる。
【００４４】
次に、上屋根４のかぶせ側のはぜ部をサドル２上に載置する。上屋根４のすくい側のはぜ部と、かぶせ側のはぜ部とは、吊子３を介してはぜ締めされ、屋根支持具１０を介した二重葺き屋根の施工が完了する。
【００４５】
このように、吊子に形成された一対のストッパー３０によって、屋根材を屋根架構に対して固定する必要のある箇所においては、爪部３３をサドルの一端面に係止させ、固定ピン３４２をピン穴３４１に挿し込んでサドルの他端面に係止させるだけの極めて簡単な作業で、吊子３をサドル２に固定することができる。
【００４６】
なお、本実施の形態の屋根支持具１０において、固定ピン３４２は荷重伝達部３１に形成されたピン穴３４１に繋ぎ止められたものであってもよい。
【００４７】
また、図３及び図４に示すように、サドル２に形成される下屋根取付部２２は、サドル２を構成する両部材の分割面を中心に対称となるＴ字形の溝が、各部材の両端面間を貫通し、かつ下辺を各部材の底面に開口して分割面の下側に形成されるものであってもよい。この場合、サドル２を下屋根５に取り付ける際の方向性が限定されず、Ｔ字形に形成された両部材２ａ、２ｂの溝に対し、選択的にはぜ締め部を挟着させることができる。
【００４８】
＜第２の実施の形態＞
図５は本発明に係る屋根支持具の第２の実施の形態を示す斜視図である。本実施の形態の屋根支持具１０は、吊子３のスライド固定手段が前記第１の実施の形態と異なる構成を有している。
【００４９】
例示の形態では、吊子３のスライド固定手段として、吊子３とサドル２との双方に貫通して両者を固定する固定ピン３５ａが設けられている。この固定ピン３５ａは、鋼材等により鉤形に形成され、サドル２の一方の部材２ｂに上下方向に貫通して設けられたピン挿通孔２３と、吊子３の荷重伝達部３１の中央付近にに設けられたピン挿通孔３１ａとに嵌入され、サドル２と吊子３とを固定する。
【００５０】
したがって、屋根の施工工程においてサドル２の逆Ｔ字形溝２１に挿入された吊子３は、この固定ピン３５ａによってサドル２に固定されるので、吊子３がサドル２の逆Ｔ字形溝２１においてスライドせずに拘束されて屋根材を固定することができる。
【００５１】
また、このようなスライド固定手段としては、前記の固定ピン３５ａのほか、同様の箇所に固定ボルト３５ｂが設けられてもよい。図６に示すように、固定ボルト３５ｂは、サドル２及び吊子３に貫通して両者を緊結するので、吊子３がサドル２に固定され、かかる位置において屋根材を屋根架構に対して固定することができる。
【００５２】
＜第３の実施の形態＞
図７及び図８は本発明に係る屋根支持具の第３の実施の形態を示し、図７は屋根支持具をサドルの一端面側から見た斜視図、図８は図７の屋根支持具をサドルの他端面側から見た斜視図である。本実施の形態の屋根支持具１０は、吊子３に形成された一対のストッパー３０の構成に特徴がある。
【００５３】
図示するように、本実施の形態の屋根支持具１０の一対のストッパー３０は、吊子３の下端から両側に張り出して形成された荷重伝達部３１の一方に設けられている。そして、一対のストッパー３０は、この荷重伝達部３１において、サドル２の長さ分を隔ててバランス良く配置され、それぞれピン穴３４１とこのピン穴３４１に嵌入される固定ピン３４２とを備えている。
【００５４】
ピン穴３４１は荷重伝達部３１の一部を切り欠いて矩形に形成され、固定ピン３４２はこのピン穴３４１に対応して矩形の楔状に形成されている。固定ピン３４２は、ハンマで軽く叩き込むなどしてピン穴３４１に差し込まれ、固定される。
【００５５】
かかる一対のストッパー３０によって、サドル２の逆Ｔ字形溝２１に挿入された吊子３をサドル２に固定することができるので、吊子３にはぜ締めされた屋根材を屋根架構に対して安定的に固定することができる。
【００５６】
また、かかる一対のストッパー３０の変形例として、例えば図９に示すように、ピン穴３４１が吊子３の下部に、サドル２（図示省略）の長さ分を隔てて形成されて、固定ピン３４２がサドル２の両端面に沿ってそれぞれ嵌入されるものでもよい。ピン穴３４１に嵌入された各固定ピン３４２は、サドル２の両端面に係止するので、吊子３をサドル２に固定することができる。
【００５７】
このほか、一対のストッパー３０は、図１０に示すように、荷重伝達部３１の一部を切り欠いて形成された嵌合凹部３６１と、この嵌合凹部３６１に嵌入される嵌合部材３６２とで構成されるものであってもよい。この嵌合部材３６２は、サドル係止面３６２ａを両端に備えた上面視コ字状に形成され、サドル２の外側から各嵌合凹部３６１に嵌入される。そして、嵌合部材３６２のサドル係止面３６２ａがサドル２の両端面に係止して、吊子３をサドル２に固定する。
【００５８】
これらのいずれの場合にも、一対のストッパー３０によってサドル２と吊子３とを容易に固定することができるので、吊子３のスライド動作を制限して屋根材を支持固定することができる。
【００５９】
＜第４の実施の形態＞
図１１は、本発明に係る屋根支持具の第４の実施の形態における吊子の斜視図である。本実施の形態の屋根支持具１０は、吊子３に一対のストッパー３０として、サドル２（図示省略）の両端面に係止しうる爪部３７ａが形成されている点に特徴がある。
【００６０】
図示するように、各爪部３７ａは、吊子３の荷重伝達部３１の両端が、サドル２の長さ分を隔てた位置で下方に折曲げ可能に形成されている。また、吊子３は、屋根材とともにはぜ締めされる上辺部が長い台形状に形成されて、爪部３７ａが折曲げられた状態でも屋根材を安定して支持できるように構成されている。
【００６１】
このような一対の爪部３７ａは、ハンマ等でサドル２側に叩かれて、吊子３が挿入されたサドル２の両端面に当接する（矢符Ａ参照）。これにより、吊子３をサドル２に固定することができる。
【００６２】
また一対のストッパー３０は、図１２に示すように、爪部３７ｂが荷重伝達部３１の底面に設けられて、下方へ折曲げ可能とされたものであってもよい。例示の形態では、吊子３をサドル２の逆Ｔ字形溝２１に挿入するときは各爪部３７ｂの少なくとも一方が、荷重伝達部３１の底面に接した状態で備えられており、逆Ｔ字形溝２１に挿入後、爪部３７ｂを下方へ開いて折曲げ変形させる（矢符Ｂ参照）。これにより、一対の爪部３７ｂがサドル２の両端面に係止して、吊子３をサドル２に固定することができる。
【００６３】
これらのいずれの場合にも、吊子３に形成された一対の爪部を変形させる作業だけで、吊子３をサドル２に固定することができるので、サドル２と吊子３とを容易に固定して、施工作業も効率よく行うことができる。
【００６４】
＜第５の実施の形態＞
図１３は本発明に係る屋根支持具の第５の実施の形態における吊子の斜視図である。本実施の形態の屋根支持具１０は、吊子３に一対のストッパー３０として、固定部材が吊子３の荷重伝達部３１に固着されている点に特徴がある。
【００６５】
図示するように吊子３に取り付けられる固定部材３８ａは、断面逆Ｔ字形の嵌合溝３８１を備え、断面逆Ｔ字形に形成された荷重伝達部３１に嵌合しうるように構成されている。また、吊子３の荷重伝達部３１には、サドル２の長さ分程度の間隔をおいて固定用孔（図示省略）が設けられている。
【００６６】
各固定部材３８ａは、吊子３の荷重伝達部３１に嵌合され、ビス等の止着具にて前記の固定用孔に固着される。これにより、サドル２（図示省略）の逆Ｔ字形溝２１に挿入された吊子３は、固定部材３８ａの端部がサドル２の両端面に係止するので、サドル２に固定されることになる。
【００６７】
また、かかる固定部材は、図１４に示すように構成されてもよい。例示の形態では、固定部材３８ｂは、吊子３の両端部に嵌合しうる嵌合部３８２を備えている。固定部材３８ｂの下端部には吊子３に固定するための固定片３８３が設けられ、固定用孔３８３ａが形成されている。吊子３の荷重伝達部３１には、この固定用孔３８３ａに対応したピン穴（図示省略）が形成されている。
【００６８】
固定部材３８ｂを吊子３に固定するには、結合ピン３８４が用いられる。結合ピン３８４は略コ字状に形成されて、両端部が固定用孔３８３ａ及びピン穴に嵌入しうるように形成されている。固定部材３８ｂの嵌合部３８２は、吊子３の両端部に嵌合されて、固定片３８３の固定用孔３８３ａと荷重伝達部３１のピン穴とが合致する。そして、結合ピン３８４が、サドル２の頂面側から、これらの固定用孔３８３ａ及びピン穴に嵌入される。これにより、吊子３の両端部に固定部材３８ｂがそれぞれ固定されて、固定部材３８ｂの端部が吊子３の挿入されたサドル２の両端面に係止するので、サドル２に吊子３を固定することができる。
【００６９】
このように構成される一対のストッパー３０によっても、サドル２と吊子３とを確実に固定することができるので、吊子３のスライド動作が制限されて、かかる位置において屋根材を屋根架構に支持固定することができる。
【００７０】
なお、前記各実施の形態においては、二重葺きの屋根構造に適用される屋根支持具について説明したが、本発明に係る屋根支持具はこれに限られず、一重葺きの屋根構造においても好適に実施することができる。この場合にも、吊子３をサドル２に容易に固定して、前記実施の形態と同様の効果をもたらすものとなる。
【００７１】
【発明の効果】
以上説明したように、本発明に係る屋根支持具では、サドルにスライド可能に支持された吊子を、棟の近傍部分や屋根の流れ方向の中間部分などの屋根材を固定する必要がある箇所においては、スライド固定手段によってサドルに固定してスライドさせないようにすることができる。
【００７２】
このようなサドルを構成する一対の部材には、両部材を密着させた状態で下屋根を挟着する下屋根取付部が、サドルの両端面間を貫通し、かつサドルの底面に開口して形成されてもよく、二重葺きの屋根構造の場合にも、下屋根のはぜ締め部をこの下屋根取付部に挟着させて、屋根材をスライドさせることなく屋根架構に支持固定することができる。
【００７３】
また本発明は、屋根支持具にスライド固定手段として、吊子とサドルとを貫通して固定する固定ピン又は固定ボルトが設けられるので、吊子が逆Ｔ字形溝においてスライドするのを拘束し、吊子を介してはぜ締めされた屋根材をスライドさせずに屋根架構に支持固定することができる。
【００７４】
また、本発明に係る屋根支持具は、吊子の荷重伝達部に一対のストッパーが設けられ、これらのストッパーをサドルの逆Ｔ字形溝の両端部に係止させて吊子をサドルに固定する。これにより、吊子を介してはぜ締めされた屋根材は、スライドしないように拘束されて、屋根架構に安定的に固定することができる。したがって、屋根架構に対して屋根材を固定する箇所と、屋根材をスライド可能に支持させる箇所とで、サドルを使い分ける必要がなくなり、作業性が高められる。
【００７５】
前記一対のストッパーとして荷重伝達部を爪状に形成した場合には、この爪部分がサドルの端面に係止して吊子をサドルに固定することができる。また、一対のストッパーとして荷重伝達部にピン穴と、このピン穴に嵌入される固定ピンとを設けた場合には、サドルの端面にピン穴に嵌入された固定ピンが固定されるので、吊子をサドルに固定することができる。
【００７６】
このように、本発明の屋根支持具は、前記従来の支持構造で使用されているサドルと共通のサドルを用いても屋根材を支持固定させることができるとともに、屋根材を屋根架構に固定する必要がある箇所においては、少ない部品点数で容易に吊子とサドルとを固定することが可能となるので、施工過程における手間とコストも低減することができる。
【図面の簡単な説明】
【図１】本発明に係る屋根支持具の第１の実施の形態を示す斜視図である。
【図２】図１の屋根支持具をサドルの他端面側から見たところを示す斜視図である。
【図３】前記屋根支持具の変形例を示す斜視図である。
【図４】図３の屋根支持具をサドルの他端面側から見たところを示す斜視図である。
【図５】本発明に係る屋根支持具の第２の実施の形態を示す斜視図である。
【図６】前記屋根支持具の変形例を示す斜視図である。
【図７】本発明に係る屋根支持具の第３の実施の形態を示す斜視図である。
【図８】図７の屋根支持具をサドルの他端面側から見た所を示す斜視図である。
【図９】前記屋根支持具の変形例を示す斜視図である。
【図１０】前記屋根支持具の変形例を示す斜視図である。
【図１１】本発明に係る屋根支持具の第４の実施の形態における吊子の斜視図である。
【図１２】前記屋根支持具の変形例を示す斜視図である。
【図１３】本発明に係る屋根支持具の第５の実施の形態における吊子の斜視図である。
【図１４】前記屋根支持具の変形例を示す斜視図である。
【図１５】従来の金属屋根の支持構造を示す斜視図である。
【図１６】従来の金属屋根の支持構造を示す斜視図である。
【図１７】従来の金属屋根の支持構造を示す断面図である。
【符号の説明】
２        サドル
２ａ，２ｂ    一対の部材
２１      逆Ｔ字形溝
２２      下屋根取付部
３        吊子
３０      一対のストッパー
３１      荷重伝達部
３３      爪部
３４１    ピン穴
３４２    固定ピン
３５ａ    固定ピン
３５ｂ    固定ボルト
３６１    嵌合凹部
３６２    嵌合部材
３６２ａ  サドル係止面
３７ａ，３７ｂ    爪部
３８ａ，３８ｂ    固定部材
３８１    嵌合溝
３８２    嵌合部
３８３    固定片
３８３ａ  固定用孔
３８４    結合ピン
４        上屋根
５        下屋根
１０      屋根支持具
【図１】
0003699713.tif 000002
【図２】
0003699713.tif 000003
【図３】
0003699713.tif 000004
【図４】
0003699713.tif 000005
【図５】
0003699713.tif 000006
【図６】
0003699713.tif 000007
【図７】
0003699713.tif 000008
【図８】
0003699713.tif 000009
【図９】
0003699713.tif 000010
【図１０】
0003699713.tif 000011
【図１１】
0003699713.tif 000012
【図１２】
0003699713.tif 000013
【図１３】
0003699713.tif 000014
【図１４】
0003699713.tif 000015
【図１５】
0003699713.tif 000016
【図１６】
0003699713.tif 000017
【図１７】
0003699713.tif 000018